(57)【要約】本発明は、調整可能な焦点距離を有するレンズを備える光学装置に関し、レンズは、レンズ容積と、レンズ容積に接続されるリザーバ容積とを囲む容器を備え、２つの容積は、透明な液体で満たされ、容器は、側壁構造と、膜と、壁部分とをさらに備え、膜は、側壁構造の背面に接続され、カバー要素は、レンズ容積がカバー要素と膜との間に配置されるように、側壁構造の前面に接続され、壁部分は、リザーバ容積に隣接して配置され、壁部分の内側は、リザーバ容積内に存在する液体に接触し、レンズは、膜に接続され、膜の領域を画定するレンズ整形器をさらに備え、この領域は、調整可能な曲率を有し、レンズ容積内の液体に接触し、レンズは、壁部分の外側に接続され、外側に作用して、リザーバ容積からレンズ容積に、またはその逆に、液体をポンピングするように構成され、その結果、膜の領域の曲率を変化させ、それとともにレンズの焦点距離を変化させる。【選択図】図３
2021521482.tif 000002
【特許請求の範囲】
【請求項１】
調整可能な焦点距離を有するレンズ（１０）を備える光学装置（１）であって、前記レンズ（１０）は、レンズ容積（Ｖ）と、前記レンズ容積（Ｖ）に接続されるリザーバ容積（Ｒ）とを囲む容器（１１）を備え、前記２つの容積（Ｒ、Ｖ）は、透明な液体（Ｌ）で満たされ、前記容器（１１）は、前面（１２ａ）および背面（１２ｂ）を有する平坦な側壁構造（１２）と、弾性的に変形可能で透明な膜（２０）と、透明なカバー要素（３０）と弾性的に変形可能な壁部分（２２）とをさらに備え、前記膜（２０）は、前記側壁構造（１２）の前記背面（１２ｂ）に接続され、前記カバー要素（３０）は、前記レンズ容積（Ｖ）が前記カバー要素（３０）と前記膜（２０）との間に配置されるように、前記側壁構造（１２）の前記前面（１２ａ）に接続され、前記壁部分（２２）は、前記リザーバ容積（Ｒ）に隣接して配置され、前記壁部分（２２）は、内側（２２ａ）と、前記内側（２２ａ）から離れて面する外側（２２ｂ）を備え、前記内側（２２ａ）は、前記リザーバ容積（Ｒ）内に存在する前記液体（Ｌ）に接触し、前記レンズ（１０）は、前記膜（２０）に接続され、前記膜（２０）の領域（２１）を画定するレンズ整形器（４０）をさらに備え、この領域（２１）は、調整可能な曲率を有し、前記レンズ容積（Ｖ）内の前記液体（Ｌ）に接触し、前記レンズ（１０）は、前記壁部分（２２）の前記外側（２２ｂ）に接続され、前記外側（２２ｂ）に作用して、前記リザーバ容積（Ｒ）から前記レンズ容積（Ｖ）に、または前記レンズ容積（Ｖ）から前記リザーバ容積（Ｒ）に、液体（Ｌ）をポンピングするように構成され、その結果、前記膜（２０）の前記領域（２１）の前記曲率を変化させ、それとともに前記レンズ（１０）の前記焦点距離を変化させる、光学装置（１）。
【請求項２】
前記側壁構造（１２）は、前記レンズ容積（Ｖ）の少なくとも一部分を収容するための貫通開口部（１２１）と、前記リザーバ容積（Ｒ）の少なくとも一部分を収容するための隣接凹部（１２２）とを備えるプレート部材（１２０）を備えることを特徴とする、請求項１に記載の光学装置。
【請求項３】
前記レンズ整形器（４０）は、前記膜（２２）の前記領域（２１）を画定するために、前記膜（２０）と接触する円形縁部（４２）によって画定される貫通開口部（４１）を備えることを特徴とする、請求項１または２に記載の光学装置。
【請求項４】
前記膜（２０）は、前記プレート部材（１２０）と前記レンズ整形器（４０）との間に配置されていることを特徴とする、請求項２および３に記載の光学装置。
【請求項５】
前記レンズ整形器（４０）は、更なるプレート部材によって形成され、前記レンズ整形器（４０）は、前記壁部分（２２）を露出させるための更なる貫通開口部（４３）を備えること、または、前記レンズ整形器（４０）はリング部材によって形成されることを特徴とする、請求項４に記載の光学装置。
【請求項６】
前記膜（２０）は、前記レンズ整形器（４０）を介して前記プレート部材（１２０）に接続され、その結果、前記レンズ整形器（４０）は、前記膜（２０）と前記プレート部材（１２０）との間に配置されることを特徴とする、請求項３に記載の光学装置。
【請求項７】
前記レンズ整形器（４０）は、更なるプレート部材により形成され、前記レンズ整形器（４０）の前記貫通開口部（４１）は、前記レンズ容積（Ｖ）の一部分を収容し、前記レンズ整形器（４０）は、前記リザーバ容積（Ｒ）の一部分を収容する更なる貫通開口部（４３）を備えることを特徴とする、請求項６に記載の光学装置。
【請求項８】
前記レンズ整形器（４０）が前記プレート部材（１２０）によって形成され、前記レンズ整形器（４０）の前記円形縁部（４２）が前記プレート部材（１２０）の前記貫通開口部（１２１）の円形縁部（４２）によって形成されることを特徴とする、請求項３に記載の光学装置。
【請求項９】
前記プレート部材（１２０）がプリント回路基板であり、前記レンズ整形器（４０）の前記円形縁部（４２）が、前記プリント回路基板（１２０）のエッチングされた金属層（４４）によって形成されることを特徴とする、請求項８に記載の光学装置。
【請求項１０】
前記カバー要素（３０）が前記プレート部材（１２０）に接続され、前記カバー要素（３０）が、前記プレート部材（１２０）の前記貫通開口部（１２１）および／または前記プレート部材（１２０）の前記凹部（１２２）を覆うようになることを特徴とする、請求項２〜９のいずれか一項に記載の光学装置。
【請求項１１】
前記プレート部材（１２０）と前記カバー要素（３０）との間に、更なる膜（２５）が配置されることを特徴とする、請求項２〜１０のいずれか一項に記載の光学装置。
【請求項１２】
前記リザーバ容積（Ｒ）は、前記レンズ（１０）の光軸（Ａ）に垂直な方向で、前記レンズ容積（Ｖ）に対向して配置されることを特徴とする、請求項１〜１１のいずれか一項に記載の光学装置。
【請求項１３】
前記壁部分（２２）は、前記膜（２０）の一部分によって形成されることを特徴とする、請求項１〜１２のいずれか一項に記載の光学装置。
【請求項１４】
前記容器（１１）は、前記レンズ容積（Ｖ）を囲む第一の部分（１１ａ）と、前記リザーバ容積（Ｒ）を囲む第二の部分（１１ｂ）とを備え、前記第一の部分（１１ａ）は、前記第二の部分（１１ｂ）に対して鈍角（Ｗ）に延びることを特徴とする、請求項１〜１１のいずれか一項に記載の光学装置。
【請求項１５】
前記光学装置（１）は、レンズ鏡筒（６０）を備え、前記レンズ鏡筒（６０）は、前記レンズ鏡筒（６０）の内部空間（６１）の周りに延び、前記レンズ鏡筒（６０）は、前記内部空間（６１）内に互いの上に重ねて配置された複数の剛性レンズ（６２）をさらに備え、前記レンズ鏡筒（６０）は、前記レンズ鏡筒（６０）の前記内部空間（６１）に光が入射して前記剛性レンズ（６２）を通過することができる開口部（６４）を区切る面側（６３）を備え、前記面側（６３）は、前記レンズ鏡筒（６０）の側方外面（６５）に接続される、請求項１〜１４のいずれか一項に記載の光学装置。
【請求項１６】
前記レンズ（１０）は、前記レンズ（１０）の前記容器（１１）に接続されたハウジング（８０）をさらに備え、その結果、前記ハウジング（８０）が前記容器（１１）とともにピストン（５０）を囲むようになることを特徴とする、請求項１〜１５のいずれか一項に記載の光学装置。
【請求項１７】
前記容器（１１）および／または前記ハウジング（８０）は、前記レンズ鏡筒（６０）に接続され、その結果、前記容器（１１）が前記レンズ鏡筒（６０）の前記面側（６３）に配置され、前記レンズ容積（Ｖ）が前記レンズ鏡筒（６０）の前記剛性レンズ（６２）に面し、前記ピストン（５０）が前記レンズ（１０）の光軸（Ａ）に垂直な方向で前記レンズ鏡筒（６０）の側方外面（６５）に面するようになることを特徴とする、請求項１５および１６に記載の光学装置。
【請求項１８】
前記容器（１１）および／または前記ハウジング（８０）が、前記レンズ鏡筒（６０）に接着されることを特徴とする、請求項１５、および請求項１６または１７に記載の光学装置。
【請求項１９】
前記容器（１１）および／または前記ハウジング（８０）は、前記レンズ鏡筒（６０）上に嵌合するように配置されていることを特徴とする請求項１５、および請求項１６〜１８のいずれか一項に記載の光学装置。
【請求項２０】
前記容器（１１）は、前記ピストン（５０）が前記壁部分（２２）の前記外側（２２ｂ）に押し付けられる前記ピストン（５０）の第一の移動方向（Ｂ）で前記ピストン（５０）用のストッパ（８１）を形成すること、および／または前記ハウジング（８０）は、前記ピストン（５０）が前記壁部分（２２）の前記外側（２２ｂ）で引っ張られる前記ピストン（５０）の第二の移動方向（Ｂ’）で前記ピストン（５０）用のストッパ（８２）を形成すること、および／または前記ハウジング（８０）は、前記ピストン（５０）の前記移動方向（Ｂ、Ｂ’）に垂直な方向で前記ピストン（５０）用のストッパ（８３）を形成することを特徴とする、請求項１６〜１９のいずれか一項に記載の光学装置。
【請求項２１】
前記レンズ鏡筒（６０）の前記面側（６３）は、前記ピストン（５０）を受け入れる凹部（６６）を備え、前記容器（１１）は、前記レンズ鏡筒（６０）の前記面側（６３）に接続され、その結果、前記レンズ容積（Ｖ）が前記レンズ鏡筒（６０）の前記剛性レンズに面し、前記ピストン（５０）が前記壁部分（２２）の前記外側（２２ｂ）から前記レンズ鏡筒（６０）の前記面側（６３）の前記凹部（６６）内に突出するようになることを特徴とする、請求項１５に記載の光学装置。
【請求項２２】
前記ハウジング（８０）は、前記ハウジング（８０）の内部空間（８５）を接続する空気ダクト（８４）を備え、前記ピストン（５０）は前記ハウジング（８０）の外側に配置され、前記ハウジング（８０）の前記内部空間（８５）の通気を可能にすることを特徴とする、請求項１６〜２１のいずれか一項に記載の光学装置。
【請求項２３】
前記ハウジング（８０）は、前記ハウジング（８０）の前記内部空間（８５）を前記レンズ鏡筒（６０）の前記内部空間（６１）に接続して、前記レンズ鏡筒（６０）の内部空間（６１）の通気を可能にする更なる空気ダクト（８６）を備えること、および／または、前記光学装置（１）は、前記レンズ鏡筒（６０）の前記内部空間（６１）を前記レンズ鏡筒（６０）の外側に接続する更なる空気ダクト（６７）を備えることを特徴とする、請求項２２に記載の光学装置。
【請求項２４】
前記光学装置（１）は、折り畳みプリズム（３）を備え、前記容器（１１）は、前記折り畳みプリズム（３）の表面（３ａ）に接続および／または配置されることを特徴とする、請求項１〜１５のいずれか一項に記載の光学装置。
【請求項２５】
前記光学装置（１）は、アクチュエータ（１００）を備え、前記アクチュエータ（１００）は、ピストン（５０）を第一の移動方向（Ｂ）に移動させるように構成され、その結果、前記ピストン（５０）を前記壁部分（２２）の前記外側（２２ｂ）に押し付けて、前記リザーバ容積（Ｒ）から前記レンズ容積（Ｖ）内に液体（Ｌ）をポンピングすることで、前記レンズ（１０）の前記膜（２０）の前記領域（２１）の前記曲率を変化させ、それとともに前記レンズ（１０）の前記焦点距離を変化させること、および／または、前記アクチュエータ（１００）は、前記ピストン（５０）を第二の移動方向（Ｂ’）に移動させるように構成され、その結果、前記ピストン（５０）を前記壁部分（２２）の前記外側（２２ｂ）に引っ張って、前記レンズ容積（Ｖ）から前記リザーバ容積（Ｒ）内に液体（Ｌ）をポンピングすることで、前記レンズ（１０）の前記膜（２０）の前記領域（２１）の前記曲率を変化させ、それとともに前記レンズ（１０）の前記焦点距離を変化させることを特徴とする、請求項１〜２４のいずれか一項に記載の光学装置。
【請求項２６】
前記ピストン（５０）は、磁石（５１）を備えることを特徴とする、請求項２５に記載の光学装置。
【請求項２７】
前記磁石（５１）は、スペーサ（５２）を介して前記壁部分（２２）の前記外側（２２ｂ）に接続されていることを特徴とする、請求項２６に記載の光学装置。
【請求項２８】
前記アクチュエータ（１００）が、前記磁石（５１）と相互作用して、前記ピストン（５０）を移動させるように構成された導電性コイル（１０１）を備えることを特徴とする、請求項２６または２７に記載の光学装置。
【請求項２９】
前記コイル（１０１）は、巻回軸（Ｃ）の周りに延びる巻線（１０２ａ）を備える導電体（１０２）を備え、特に、前記巻回軸（Ｃ）は、前記レンズの光軸（Ａ）に平行に、および／または前記容器（１１）の前記壁部分（２２）に垂直に延びることを特徴とする、請求項２８に記載の光学装置。
【請求項３０】
前記コイル（１０１）が前記プレート部材（１２０）に一体化され、特に前記磁石（５１）が前記ピストン（５０）の第一の移動方向（Ｂ）で前記コイル（１０１）に面することと、特に前記磁石（５１）が前記巻回軸（Ｃ）に平行に延びる磁化（Ｍ）を備えることを特徴とする、請求項９、および請求項２８または２９に記載の光学装置。
【請求項３１】
前記コイル（１０１）は、前記レンズ鏡筒（６０）の前記面側（６３）の前記凹部（６６）の底部（６６ａ）に配置されるプリント回路基板（１０３）に一体化されるか、前記レンズ鏡筒（６０）の前記面側（６３）の前記凹部（６６）の前記底部（６６ａ）に配置されるか、前記レンズ鏡筒（６０）の前記面側（６３）の前記凹部（６６）の前記底部（６６ａ）に一体化されているかのいずれかであること、特に前記磁石（５１）は、前記ピストン（５０）の前記第二の移動方向（Ｂ’）で前記コイル（１０１）に面することと、特に前記磁石（５１）は、前記巻回軸（Ｃ）に平行に延びる磁化（Ｍ）を備えることと、特に、前記コイル（１０１）を含む前記プリント回路基板（１０３）は、可撓性コネクタ（１０４）を介して、前記光学装置（１）に電気的に接触するように構成された更なる可撓性コネクタ（１０５）に接続されることを特徴とする、請求項２１、および請求項２８または２９に記載の光学装置。
【請求項３２】
前記レンズ鏡筒（６０）は、前記レンズ鏡筒（６０）内に成形された電気コネクタ（１０６）を備え、前記電気コネクタ（１０６）は、前記コイル（１０１）にハンダ付けされる２つの第一の端部（１０６ａ）とともに前記レンズ鏡筒（６０）から突出し、特に前記電気コネクタ（１０６）は、ハンダ付け可能な電気接点を形成する２つの第二の端部（１０６ｂ）とともに前記レンズ鏡筒（６０）から突出することを特徴とする、請求項１５、および請求項２８〜３０のいずれか一項に記載の光学装置。
【請求項３３】
前記ハウジング（８０）は、前記壁部分（２２）に対向する底部（８０ａ）と、前記ハウジング（８０）の前記底部（８０ａ）を前記レンズ（１０）の前記容器（１１）に接続する側壁（８０ｂ）とを備えることを特徴とする、請求項１６、または請求項１６を引用する請求項１７〜３２のいずれか一項に記載の光学装置。
【請求項３４】
前記コイル（１０１）は、前記ハウジング（８０）の前記底部（８０ａ）に一体化されるか、あるいは前記ハウジング（８０）の底部（８０ａ）に配置され、その結果、前記磁石（５１）は、前記ピストン（５０）の前記第二の移動方向（Ｂ’）で前記コイル（１０１）に面し、特に前記磁石（５１）は、前記コイル（１０１）の前記巻回軸（Ｃ）に平行に延びる磁化（Ｍ）を備えることを特徴とする、請求項２８または２９、および請求項３３に記載の光学装置。
【請求項３５】
前記コイル（１０１）は、前記ハウジング（８０）の前記底部（８０ａ）に一体化されるか、あるいは前記ハウジング（８０）の底部（８０ａ）に配置され、その結果、前記磁石（５１）は、前記ピストン（５０）の前記第二の移動方向（Ｂ’）で前記コイル（１０１）に面し、特に前記磁石（５１）は、前記コイル（１０１）の前記巻回軸（Ｃ）に平行に延びる磁化（Ｍ）を備えることを特徴とする、請求項２８または２９、および請求項３３に記載の光学装置。
【請求項３６】
前記アクチュエータ（１００）は、前記ピストン（５０）を移動させるための形状記憶合金から形成された部材（２００）を備え、前記部材（２００）は、前記ピストン（５０）を前記ピストン（５０）の前記ハウジング（８０）または前記レンズ鏡筒（６０）に接続し、特に、前記部材（２００）は、前記部材（２００）が前記ピストン（５０）を前記壁部分（２２）の前記外側（２２ｂ）で引っ張らせる状態を少なくとも備えることを特徴とする、請求項２５に記載の光学装置。
【発明の詳細な説明】
【技術分野】
【０００１】
本発明は、調整可能な焦点距離を有するレンズを含む光学装置に関する。
【発明の概要】
【発明が解決しようとする課題】
【０００２】
そのような光学装置に関して、設置スペースが小さい焦点調整可能なレンズを提供することが望ましい。
【課題を解決するための手段】
【０００３】
この課題は、請求項１の特徴を有する光学装置によって解決される。
【０００４】
本発明の好ましい実施形態は、それぞれの従属請求項に記載され、以下に記載される。
【０００５】
請求項１によれば、光学ズーム装置は、調整可能な焦点距離を有するレンズを備え、上記レンズは、レンズ容積と、上記レンズ容積に接続されるリザーバ容積とを囲む容器を備え、上記２つの容積は、透明な液体で満たされ、上記容器は、前面および背面（特に、前面は、背面から離れて面する）を有する平坦な側壁構造と、弾性的に変形可能で透明な膜と、透明なカバー要素と弾性的に変形可能な壁部分とをさらに備え、上記膜は、上記側壁構造の上記背面に接続され、上記カバー要素は、上記レンズ容積が上記カバー要素と上記膜との間に配置されるように、上記側壁構造の上記前面に接続され、上記壁部分は、上記リザーバ容積に隣接して配置され、上記壁部分は、内側と、上記内側から離れて面する外側を備え、上記内側は、上記リザーバ容積に存在する上記液体に接触し、上記レンズは、上記膜に接続され、上記膜の領域を画定するレンズ整形器をさらに備え、この領域は、調整可能な曲率を有し、レンズ容積内の上記液体に接触し、上記レンズは、上記壁部分の上記外側に接続され、上記外側に作用して、上記リザーバ容積から上記レンズ容積に、または上記レンズ容積から上記リザーバ容積に、液体をポンピングするように構成され、その結果、上記膜の上記領域の上記曲率を変化させ、それとともに上記レンズの上記焦点距離を変化させる。
【０００６】
特に、側壁構造に関して平坦という概念は、側壁構造が、レンズの光軸に垂直な方向の側壁構造の延長部よりも小さい、前面または背面に垂直な方向の厚さを含むことを意味する。特に、膜とカバー要素とは、レンズの光軸の方向に向かい合っている。特に、カバー要素および／または膜は、光軸に対して垂直に延在する。
【０００７】
さらに、特に、レンズ成形機は、好ましくは、容器に対して固定され、すなわち、カバー要素または側壁構造に対して移動しない。
【０００８】
特に、本発明によって、磁石および電気コイルをベースとし得るアクチュエータを含むことのできる薄型液体レンズを提供することが可能になる。
【０００９】
本発明によるアプローチは、異なる有効開口部に容易にスケーラブルであり、三方向（例えば、アクチュエータ方向を指していない全ての方向）における装置の外寸を最小化することができる。
【００１０】
特に、レンズの形状は、例えば、非対称アクチュエータ／ポンプ構成を使用することによって、電子装置（例えば、スマートフォン）の可能なカメラ表示領域を最大化するために、有利にカスタマイズ可能である。
【００１１】
さらに、液体レンズの容器は、曲がった形状を備えることができ、特に、その結果、レンズの容器を光学装置の構成要素（レンズ鏡筒など）に適合させ、設置スペースを最小化する構成要素に関する配置が可能になる。以下、対応する実施形態について詳細に説明する。
【００１２】
特に、本発明は、以下のような多種多様な異なる用途に適用することができる。
・最小高さを加えることによる液体レンズを用いたモバイルカメラにおけるオートフォーカス
・携帯電話カメラのマクロ
・バーコード走査システム
・医療用途
・ロボット用途
・マシンビジョン用途
・監視カメラ
・ＩＯＴ装置
・ドローン
【００１３】
特に、ピストンは、壁部分の外側に押し付けて、リザーバ容積からレンズ容積内に液体をポンピングするように、または外部に引っ張って、レンズ容積からリザーバ容積内に液体をポンピングするように移動可能である。液体が非圧縮性であるために、液体をレンズ容積内にポンピングすると、（平坦な領域から始まる）レンズの前記領域の曲率が増加し、それによって、レンズ容積からリザーバ容積内へ液体を除去しながら、焦点屈折力は、前記領域の曲率を再び低下させる。したがって、２つの容積の間で液体をポンピングすることによって、膜の前記領域の曲率を（例えば、凹面から凸面へ、または平坦から凸面へ）調整することができ、その結果、容器は、調整可能な曲率を有するレンズを形成する。したがって、容器を通過する（例えば、カバー要素、レンズ容積内の液体、および膜を通過する）光は、膜の前記領域の曲率によって画定される焦点距離に従って屈折される。
【００１４】
特に、本発明の一実施形態によれば、側壁構造は、レンズ容積の少なくとも一部を収容するための貫通開口部と、リザーバ容積の少なくとも一部を収容するための隣接する凹部とを備えるプレート部材を備える。特に、プレート部材のこの凹部は、プレート部材の（更なる）貫通開口部であってもよい。
【００１５】
さらに、本発明の一実施形態によれば、レンズ整形器は、膜の前記領域を画定するために、膜と接触する円形縁部によって画定される貫通開口部を備える。
【００１６】
本発明の一実施形態によれば、膜は、プレート部材とレンズ整形器との間に配置される。ここで、特に、レンズ整形器は、更なるプレート部材によって形成され得、レンズ整形器（更なるプレート部材）は、前記円形縁部によって画定される前記貫通開口部と、ピストンが作用する前記壁部分を露出するように構成される更なる貫通開口部とを備える。あるいは、レンズ整形器は、リング部材によって形成することができる。
【００１７】
さらに、本発明の代替実施形態によれば、膜は、レンズ整形器を介してプレート部材に接続され、その結果、レンズ整形器は、膜とプレート部材との間に配置される。ここで、特に、レンズ整形器は、更なるプレート部材によって形成することができ、レンズ整形器の円形縁部によって区切られるレンズ整形器の貫通開口部は、レンズ容積の一部を収容し、レンズ整形器（更なるプレート部材）は、リザーバ容積の一部を収容するための更なる貫通開口部を備える。
【００１８】
更なる代替的な実施形態によれば、レンズ整形器は、プレート部材自体によって形成され、レンズ整形器の円形縁部は、プレート部材の前記貫通開口部の円形縁部によって形成される。
【００１９】
さらに、本発明の一実施形態によれば、プレート部材は、プリント回路基板であり、前記円形縁部は、プリント回路基板のエッチングされた金属層（例えば、銅によって形成されるか、または銅を含む金属）によって形成される。
【００２０】
あるいは、プレート部材または更なるプレート部材の側壁構造は、金属、プラスチック材料、ポリマーから形成され得るか、またはそれらを含み得る。特に、側壁構造、またはプレート部材もしくは更なるプレート部材は、射出成形部品とすることができる。
【００２１】
さらに、本発明の一実施形態によれば、カバー要素がプレート部材の貫通開口部および／またはプレート部材の凹部を覆うように、カバー要素がプレート部材に接続される。
【００２２】
更なる実施形態によれば、更なる膜が、プレート部材とカバー要素との間に配置される。更なる膜は、プレート部材の貫通開口部および／または凹部を覆うことができる。特に、更なる膜は、液体とレンズのカバー要素との間の屈折率整合を改善するように適合され得る。
【００２３】
さらに、一実施形態によれば、カバー要素は、以下の材料、すなわち、ガラス、プラスチック材料、ポリマーのうちの１つから形成することができ、またはこれらの材料のうちの１つを含むことができる。
【００２４】
また、本発明の一実施形態によれば、リザーバ容積は、レンズの光軸に垂直な方向で、レンズ容積に対向して配置される。したがって、特に、レンズ容積に対するリザーバ容積の配置は、光軸に対して非対称である。特に、これにより、光軸方向の比較的小さい高さを特に含む容器のレンズ容積部分をレンズ鏡筒の上部に配置することができ（これはレンズ鏡筒の設置高さに、小さい高さのみを追加する）、一方、嵩張ったパーツ（例えば、ピストンが作用する前記壁部分の外側に接続されたピストンを含む容器のリザーバ容積部分）をレンズ鏡筒に対して横方向に配置することができる。
【００２５】
好ましい実施形態によれば、ピストンが接続される前記壁部分は、レンズの膜の一部分によって形成され、この場合、好ましくは、側壁構造またはプレート部材の裏側全体を覆う。
【００２６】
さらに、また別の実施形態によれば、容器は、レンズ容積を囲む第一の部分と、リザーバ容積を囲む第二の部分とを備え、第一の部分は、第二の部分と鈍角をなす（すなわち、前記角度は９０°より大きく１８０°より小さい）。また、ここでは、容器のリザーバ部分は、容器がレンズの面側に配置されている場合、容器のレンズ容積部分に対してある角度で延びるため、レンズ鏡筒に対して横方向に配置することができる。
【００２７】
さらに、本発明の一実施形態によれば、光学装置は、レンズ鏡筒を備え、レンズ鏡筒は、レンズ鏡筒の内部空間の周りに延び、レンズ鏡筒は、内部空間内に互いの上に重ねて配置された複数の剛性レンズをさらに備え、レンズ鏡筒は、レンズ鏡筒の内部空間に光が入射して剛性レンズを通過することができる開口部を区切る面側を備え、面側は、レンズ鏡筒の側方外面に接続され、側方外面は、内部空間の周囲に延びる。
【００２８】
さらに、光学装置は、光学画像センサを備えることができ、光学画像センサは、レンズ鏡筒の内部空間に、またはレンズ鏡筒の前に配置することができ、その結果、剛性レンズは、画像センサに面し、レンズ鏡筒（すなわち、その中の剛性レンズ）の光軸に沿ってレンズ鏡筒の前記開口部に入る光は、剛性レンズを通過して、光学画像センサに衝突することができる。
【００２９】
さらに、本発明の一実施形態によれば、レンズは、レンズの容器に接続されたハウジングをさらに備え、その結果、ハウジングが容器とともにピストンを囲むようになる。
【００３０】
特に、一実施形態によれば、容器および／またはハウジングは、レンズ鏡筒に接続され、その結果、容器がレンズ鏡筒の面側に配置され、レンズ容積がレンズ鏡筒の剛性レンズに面し、ピストンがレンズ（またはレンズ鏡筒）の光軸に垂直な方向でレンズ鏡筒の側面に面するようなる。また、特に、ピストンのハウジングは、レンズ鏡筒の側面に配置されている。
【００３１】
さらに、一実施形態によれば、容器および／またはハウジングは、レンズ鏡筒に接着される。
【００３２】
さらに、本発明の一実施形態によれば、容器および／またはハウジングは、レンズ鏡筒に嵌合するように配置（または接続）される。
【００３３】
さらに、一実施形態では、容器は、ピストンが壁部分の外側に押し付けられるピストンの第一の移動方向でピストン用のストッパを形成する。さらに、特に、ピストンをハウジングで囲むことにより、ピストンが壁部分の外側で引っ張られるピストンの第二の移動方向でピストン用のストッパを提供することができる。更なる実施形態によれば、ハウジングは、前記移動方向に垂直な方向でピストン用のストッパを形成することもできる。したがって、レンズのハウジングおよび／または容器は、磁石が接続され、磁石を支持する膜／壁部分の保護を改善する（例えば、機械的衝撃による）磁石の移動を抑制するのに役立つ。
【００３４】
さらに、本発明の代替実施形態によれば、ピストンのための別個のハウジングを提供する代わりに、レンズ鏡筒の面側は、ピストンを受け入れるための凹部を備えることができ、容器は、ここで、レンズ鏡筒の面側に接続され（特に接着され）、その結果、レンズ容積がレンズ鏡筒の剛性レンズに面し、ピストンが壁部分の外側からレンズ鏡筒の面側の凹部内に突出するようになる。ここで、レンズ鏡筒自体は、ピストンのためのハウジングを提供する。
【００３５】
また、ここで、特に、凹部の底部またはその上に配置されたプリント回路基板は、ピストンが壁部分の外側を引っ張るピストンの第二の移動方向でピストン用のストッパを形成することができる。さらに、凹部の内側は、ピストンの第一および第二の移動方向に垂直な方向でピストン用のストッパを形成することができる。さらに、ここでも、容器は、ピストンが壁部分の外側に押し付けられるピストンの第一の移動方向でピストン用のストッパを形成することができる。
【００３６】
さらに、本発明の一実施形態によれば、ピストンのハウジング（またはレンズ鏡筒の凹部）は、内部空間（またはレンズ鏡筒の凹部）の通気を可能にするために、ピストンがハウジング（またはレンズ鏡筒）の外側に配置されるハウジング（または凹部）の内部空間を接続する空気ダクトを備える。
【００３７】
さらに、本発明の一実施形態によれば、ハウジング（またはレンズ鏡筒の凹部）は、ハウジング（または凹部）の内部空間をレンズ鏡筒の内部空間と接続して、レンズ鏡筒の内部空間の通気を可能にする更なる空気ダクトを備える。代替として（または追加として）、光学装置は、レンズ鏡筒の内部空間をレンズ鏡筒の外側に接続する更なる空気ダクトを備えることができる。
【００３８】
レンズのレンズ鏡筒への設置スペース節約接続を提供する代わりに、レンズを折り畳みプリズムのような他の光学部品に有利な方法で接続することもできる。ここで、レンズの容器は、折り畳みプリズムの表面に接続（特に接着）することができる。特に、容器は、レンズの膜が折り畳みプリズムの前記表面とレンズのカバー要素との間に配置されるように、折り畳みプリズムの前記表面に接続される。また、ここで、光学装置は、上述したようなレンズ鏡筒を備えることができ、レンズ鏡筒は、好ましくは、折り畳みプリズムと光学装置の光学画像センサとの間の光学装置の光路内に配置される。特に、レンズ鏡筒は、オートフォーカスおよび／または光学画像安定化を提供するために、画像センサに対して移動するように構成することができる。しかしながら、このような構成においても、レンズは、オートフォーカス機能を実行することができ、特に、マクロショットを生成することもできる。
【００３９】
さらに、本発明の一実施形態によれば、光学装置は、ピストンが壁部分の外側に押し付けられてリザーバ容積からレンズ容積内に液体をポンピングし、膜の前記領域の曲率（例えば、平坦から凸状）およびそれに伴うレンズの焦点距離を変化させるように（例えば、平坦から凸状）するように、および／または、アクチュエータが、ピストンが壁部分の外側で引っ張られてレンズ容積からリザーバ容積内に液体をポンピングし、膜の前記領域の曲率（例えば、凸状から凸状または平坦でない）およびそれに伴うレンズの前記焦点距離を変化させるように、ピストンがレンズ容積の外側で液体をリザーバ容積内にポンピングするように、ピストンを移動させるように構成される、アクチュエータを備える。
【００４０】
さらに、本発明の一実施形態によれば、ピストンは磁石を含み、磁石は特にアクチュエータの構成要素を形成する。
【００４１】
さらに、本発明の一実施形態によれば、磁石は、スペーサを介して壁部の外側に接続される。
【００４２】
さらに、本発明の一実施形態によれば、アクチュエータは、コイルに電流が流れると、磁石と相互作用してピストンを移動させるように構成された導電性コイルを備え、特に、ピストンの移動方向、例えば、壁部分の外側に押し付けて壁部分の外側に向かう方向（第一の移動方向）か、または壁部分の外側から引き離す方向（第二の移動方向）かは、コイルを流れる電流の方向（磁石の磁化の所与の向きについて）に依存する。特に、光学装置は、前記電流を制御するドライバ回路を備えることができる。
【００４３】
さらに、本発明の一実施形態によれば、コイルは、（例えば仮想の）巻回軸の周りに延びる巻線を備える導電体を備え、特に、巻回軸はレンズの光軸に平行に、および／または容器の壁部分に垂直に延びる。
【００４４】
特に、一実施形態によれば、コイルは、巻回軸の方向で磁石に面し、磁石の磁化は、巻回軸に平行に延びることを特徴とする。代替として、磁石は、磁石がコイルの巻線によって囲まれた空間（例えば空隙）内に少なくとも部分的に配置されるように配置することもできる。また、ここで、磁石は、巻回軸に平行に延びる磁化を備えることもできる。さらに、代替として、磁石が少なくとも部分的に前記空間内に配置される場合、またはコイルの巻線によって囲まれる前記空間内に完全に配置される場合、磁石は、径方向に着磁されたリング磁石、すなわち、その径方向に延びる磁化を備えるリング磁石であってもよい。ここで、特に、磁化は巻回軸に垂直に延びている。
【００４５】
さらに、本発明の一実施形態によれば、コイルは、プレート部材に一体化され、特に、リザーバ容積を収容するプレート部材の凹部の境界に沿って延び、特に、磁石は、第一の移動方向でコイルに面し、特に、磁石は、コイルの巻回軸に平行に延びる磁化を備える。
【００４６】
さらに、一実施形態によれば、磁化は、ピストンの第一または第二の移動方向に平行に、および／またはレンズの光軸に平行に延びることができる。
【００４７】
また、本発明の一実施形態によれば、コイルは、レンズ鏡筒の面側の凹部の底部に配置されるプリント回路基板（上記参照）に一体化されるか、レンズ鏡筒の面側の凹部の底部に配置されるか、レンズ鏡筒の面側の凹部の底部に一体化されるかの一つである。特に、磁石は、ピストンの第二の移動方向でコイルに面することができる。さらに、特に、磁石は、巻回軸に平行に延びる磁化を備えることができる。さらに、特に、コイルを備えるプリント回路基板は、可撓性導体を介して、光学装置に電気的接触を提供するように構成された更なる（例えば、可撓性）コネクタに接続することができ、特に、画像センサおよびレンズに（例えば、レンズのアクチュエータに）電気的接触を提供することができる。
【００４８】
さらに、本発明の一実施形態によれば、レンズ鏡筒は、レンズ鏡筒内に成形された電気コネクタを備え、電気コネクタは、コイルにハンダ付けされる２つの第一の端部とともにレンズ鏡筒から突出し、特に電気コネクタは、ハンダ付け可能な電気接点を形成する２つの第二の端部とともにレンズ鏡筒から突出する。
【００４９】
さらに、本発明の一実施形態によれば、ピストンのハウジングは、壁部分に面する底部と、ハウジングの底部をレンズの容器に接続する側壁とを備える。
【００５０】
さらに、本発明の一実施形態によれば、コイルは、ピストンの第二の移動方向で、磁石がコイルに面するように、ハウジングの底部に一体化されるか、またはハウジングの底部に配置される。ここで、磁石は、コイルの巻回軸に平行に延びる磁化を備えることができる。
【００５１】
さらに、本発明の一実施形態によれば、コイルは、ハウジングの側壁に一体化されるか、またはハウジングの側壁に配置され、特に、磁石は、コイルの巻線によって囲まれた空間（例えば空隙）内に少なくとも部分的または完全に配置される。ここで、特に、磁石は、巻回軸に平行に延びる磁化（軸方向に着磁された）、または巻回軸に垂直に延びる（径方向に着磁された）磁化を備えることができる。
【００５２】
さらに、本発明の一実施形態によれば、アクチュエータは、ピストンを移動させるための形状記憶合金から形成された部材を備え、前記部材は、特に、ピストンをピストンのハウジングまたはレンズ鏡筒に接続し、特に、前記部材は、ピストンを壁部分の外側で引っ張らせる状態を備える。また、アクチュエータは、ピストン構造に関する押し／引き動作を可能にするために、複数の形状記憶合金部材を備えてもよい。
【００５３】
以下では、本発明の更なる特徴および実施形態が、特許請求の範囲に添付された図面を参照して説明される。
【図面の簡単な説明】
【００５４】
【図１】本発明による光学装置の一実施形態の斜視図を示し、光学装置は、レンズ鏡筒と、調整可能な焦点距離を有する液体レンズとを備え、レンズは、レンズおよびレンズ鏡筒の共通光軸に対して非対称に配置された液体用リザーバ容積を備える。
【図２】本発明による光学装置の更なる実施形態を示し、レンズは、光学装置の折り畳みプリズム上に配置される。
【図３】レンズの焦点距離の調整を説明するために、光学装置の一実施形態の断面図を示す。（Ａ）は無限遠焦点構成を示し、（Ｂ）は、リザーバ容積からレンズ容積内に液体をポンピングすることによって、膜の光学活性領域が凸状の曲率を強制的にとる構成を示す。
【図４】本発明による光学装置の更なる実施形態の部分断面図を示す。レンズ鏡筒自体は、ピストンを受け入れるためのハウジングを形成する。
【図５】本発明による光学装置のレンズの一実施形態の概略断面図（Ａ）および分解図（Ｂ）を示す。
【図６】本発明による光学装置のレンズの更なる実施形態の概略断面図（Ａ）および分解図（Ｂ）を示す。
【図７】本発明による光学装置のレンズの更なる実施形態の概略断面図（Ａ）および分解図（Ｂ）を示す。
【図８】本発明による光学装置のレンズの更なる実施形態の概略断面図（Ａ）および分解図（Ｂ）を示す。
【図９】本発明による光学装置のレンズの更なる実施形態の概略断面図（Ａ）および分解図（Ｂ）を示す。
【図１０】本発明による光学装置のレンズの更なる実施形態の概略断面図（Ａ）を示し、レンズは、角度付きハウジングを含み、（Ｂ）は、光学装置のレンズ鏡筒に対するレンズの配置を示す。
【図１１】本発明による光学装置のレンズの更なる実施形態の概略断面図を示す。追加の膜が、カバー要素と、レンズの液体を含むレンズ容積との間に配置され、更なる膜は、液体とカバー要素（例えば、ガラス）の屈折率とを整合させる役割を果たす。
【図１２】本発明による光学装置の実施形態の断面図を示す。装置は、ピストンおよびレンズ鏡筒のハウジングの内部空間を通気するための空気ダクトを備える。
【図１３】本発明による光学装置のレンズの更なる実施形態の概略断面図（Ａ）および分解図（Ｂ）を示す。レンズの容器の側壁を形成するプレート部材は、レンズのアクチュエータのコイルが一体化されたプリント回路基板である。
【図１４】本発明による光学装置のレンズの一実施形態の概略断面図を示し、前記レンズのアクチュエータは、軸方向に着磁された磁石に面するコイルを備える。
【図１５】本発明による光学装置のレンズの更なる実施形態の概略断面図を示す。レンズのアクチュエータは、アクチュエータのコイルに浸漬された磁石を備え、磁石は、軸方向に着磁されている。
【図１６】本発明による光学装置のレンズの更なる実施形態の概略断面図を示す。レンズのアクチュエータは、レンズのピストンを移動させる形状記憶合金部材を備える。
【図１７】本発明による光学装置のレンズの更なる実施形態の概略断面図を示す。レンズのアクチュエータは、アクチュエータのコイルに浸漬された磁石を備え、磁石は、径方向に着磁されている。
【図１８】レンズの光学活性領域に関して、レンズ鏡筒上のリザーバ容積の非対称配置の異なる可能性を示す。（Ａ）は、リザーバ容積がレンズ鏡筒のコーナー領域上に配置される構成を示し、（Ｂ）は、リザーバ容積がレンズ鏡筒のエッジ上で中央に配置される構成を示す。さらに、（Ｃ）は、リザーバ容積がレンズ鏡筒のエッジに配置されるが、レンズ鏡筒からエッジを過ぎて突出している構成を示す。
【図１９】特にインサート成形によって、レンズ鏡筒に一体化されたコネクタを備える、本発明による光学装置の一実施形態の概略断面図を示す。
【図２０】リザーバ容積およびレンズ容積の異なる可能な形状を示し、好ましくは、レンズ容積は円形断面（Ａ）、（Ｂ）を備え、リザーバ容積は円形形状から逸脱して、すなわち、正方形（Ａ）または楕円形（Ｂ）にすることができる。
【発明を実施するための形態】
【００５５】
本発明は、例えば図１〜図４に示すような光学装置１、例えばカメラに関する。特に、光学装置１は、調整可能な焦点距離を有するレンズを備え、レンズ１０は、レンズ容積Ｖを囲む容器１１と、レンズ容積Ｖに接続されるリザーバ容積Ｒとを備える。２つの容積Ｒ、Ｖは、透明な液体Ｌで満たされる。容器１１は、前面１２ａおよび背面１２ｂを備える平坦な側壁構造１２と、弾性的に変形可能で透明な膜２０と、透明なカバー要素３０と、弾性的に変形可能な壁部分２２とをさらに備え（例えば、図３を参照）、膜２０は、側壁構造１２の背面１２ｂに接続され、カバー要素３０は、レンズ容積Ｖがカバー要素３０と膜２０との間に配置されるように、側壁構造１２の前面１２ａに接続される。したがって、光は、カバー要素３０、透明な液体Ｌで満たされたレンズ容積Ｖ、および膜２０を通過することができる。レンズ容積Ｖに隣接する膜２０の領域２１の曲率を変化させることによって、レンズ１０の焦点距離を調整することができ、これについては以下に詳細に説明する。
【００５６】
さらに、前記壁部分２２は、リザーバ容積Ｒに隣接して配置され、壁部分Ｒは、内側２２ａと、前記内側２２ａから離れて面する外側２２ｂとを含み、内側２２ａは、リザーバ容積Ｒ内に存在する液体Ｌに接触する（例えば、図３を参照）。
【００５７】
膜２０が画定された正確な曲率を展開させることを確実にするために、レンズ１０は、膜２０に接続され、膜２０の、例えば、円形領域２１を画定するレンズ整形器４０をさらに備え、この領域２１は、調整可能な曲率を有し、レンズ容積Ｖ内の液体Ｌに接触する。この曲率を調整し、これとともにレンズ１０の焦点距離を調整するために、レンズ１０は、壁部分２２の外側２２ｂに接続され、リザーバ容積Ｒからレンズ容積Ｖ内に、またはその逆に、液体Ｌをポンピングするために前記外側２２ｂに作用するように構成された可動ピストン５０をさらに備える。好ましくは、壁部分２２は、膜２０の一部分によって形成される。特に、ピストン５０は、レンズ１０の容器１１に接続されたハウジング８０によって囲むことができる（例えば、図１および図３を参照）。
【００５８】
レンズ１０の焦点距離の調整は、例えば、カメラのオートフォーカス機能の作動原理を示す図３に例示的に示されている。ここで、前記領域２１の曲率は、図３（Ａ）に示される平坦な状態から図３（Ｂ）に示される凸状の状態に、液体Ｌをリザーバ容積Ｒからレンズ容積Ｖ内にポンピングすることによって変化し、こうして、レンズ容積Ｖ内の液体Ｌは、前記領域２１に押し付けられ、次いで、凸状の曲率を生じる。その結果、ピストンが膜２０の部分２２を引っ張った場合、液体Ｌはリザーバ容積Ｒ内にポンピングで戻され、領域２１の曲率は、平坦な状態に戻って小さくなることができる。ピストンを反対の移動方向Ｂ、Ｂ’、すなわち膜２０の前記部分２２の外側２２ｂに向かう方向と、それから離れる方向とに連続的に移動させることができるという事実のために、焦点距離は、ある特定の範囲にわたって、例えば、ピストンストローク、ピストン面積、および光学レンズ面積によって与えられる特定の範囲にわたって、連続的に調整することができる。
【００５９】
図１および図３に示すように、レンズの容器１１は、特に設置スペースを節約して、レンズ鏡筒６０上に配置されるようになっている。特に、このようなレンズ鏡筒６０は、円周方向に延び、複数の剛性レンズ６２が互いの上部に配置された内部空間６１を取り囲んでいる。さらに、レンズ鏡筒６０は、光がレンズ鏡筒６０の内部空間６１に入って、剛性レンズ通過することのできる開口部６４を区切る面側６３を備える。さらに、レンズ鏡筒６０は、内部空間６１の周囲に延びる側方外面６５を備える。
【００６０】
レンズ鏡筒６０は、レンズ鏡筒６０を通過する光をレンズ鏡筒６０の光軸Ａ’に沿って、光学装置（例えば、カメラ）の画像センサ７０上に偏向させ、レンズ１０（例えば、焦点距離の調整）は、画像センサ７０によって提供される光学的オートフォーカスフィードバック信号によって駆動することができる。
【００６１】
特に、図１および図３に示すように、リザーバ容積Ｒは、レンズ１０の光軸Ａに垂直な方向で、レンズ容積Ｖに対向して配置されている。
【００６２】
一般に、容器１０は、レンズＬの光軸Ａの方向に比較的低い高さを備えることができ、一方、膜部分２２に接続されたリザーバ容積Ｒおよびピストン５０を含む部分は、前記高さ方向に（光軸Ａに沿って）より大きな設置スペースを必要とする。
【００６３】
しかしながら、レンズ１０の容器１１の設計によって、光軸Ａに関して容器１１／リザーバ容積Ｒの非対称配置が可能となり、こうして、レンズ鏡筒６０には、０．５ｍｍより小さくなり得る低い高さだけが追加される。特に、容器１１の非対称配置によって、レンズを携帯電話のディスプレイのエッジに移動させることが可能になる。
【００６４】
特に、図１および図３に示すように、容器１１およびハウジング８０は、レンズ鏡筒６０に、好ましくは取り付けられ、特に接着され、その結果、容器１１がレンズ鏡筒６０の面側６３に配置され、レンズ容積Ｖがレンズ鏡筒６０の剛性レンズ６２に面し、またピストン５０およびハウジング８０がレンズ１０の光軸Ａに対して垂直（または光軸Ａに一致するレンズ鏡筒６０の光軸Ａ’に対して垂直）方向にレンズ鏡筒６０の側方外面６５に面する。さらに、特に、ピストン５０のハウジング８０は、レンズ鏡筒６０の側方外面６５上に、嵌合するように配置される。
【００６５】
レンズ鏡筒上のレンズ１０の配置とは別に、非対称配置は、図３に示されている折り畳みプリズム３のような他の光学部品と併せて使用することもできる。この実施形態によれば、容器１１は、レンズ１０の膜２０が折り畳みプリズム３の表面３ａとレンズ１０のカバー要素３０との間に配置されるように、折り畳みプリズム３の表面３ａに接続され、特に接着される。このハウジング８０／ピストン５０は、プリズムに対して横方向に配置することができるので、高さ方向の設置スペースを節約する。
【００６６】
また、ここで、光学装置１は、レンズ鏡筒６０（上記参照）を備えることができ、レンズ鏡筒６０は、好ましくは、折り畳みプリズム３と光学装置１の光学画像センサ７０との間の光学装置１の光路Ｐ内に配置される。特に、レンズ鏡筒６０は、オートフォーカスおよび／または光学画像安定化を提供するために、画像センサ７０に対して移動するように構成することができる。しかしながら、レンズ１０は、またオートフォーカスおよびマクロも提供することができる。
【００６７】
図４は、本発明による光学装置１の更なる実施形態を示し、この実施形態によって、ピストン５０を囲むための追加のハウジング８０を省略することが可能になる。
【００６８】
ここで、ピストン５０を受け入れるために、レンズ鏡筒６０の面側６３に凹部６６が形成され、レンズ１０の容器１１は、レンズ鏡筒６０の面側６３に接続され、特に接着され、その結果、レンズ容積Ｖがレンズ鏡筒６０の剛性レンズ６２に面し、またピストン５０が壁部２２の外側２２ｂから凹部６６内に突出するようになる。このように、本実施形態では、レンズ鏡筒６０によってピストン５０を囲むハウジングが形成されている。
【００６９】
特に、このような構成を達成するために、レンズ鏡筒６０の外形は、アクチュエータのための空間を収容するようになっており、特にピストン５０のための空洞を提供する。さらに、ピストン５０を移動させるためのコイル１０１を、凹部６６の底部６６ａ上に配置されたプリント回路基板（ＰＣＢ）１０３に一体化することができ、コイル１０１は、可撓性導体１０４を介して、光学装置１に電気的に接触させるのに役立つ、レンズ鏡筒６０の底部の更なる可撓性コネクタ１０５に接続することができる。
【００７０】
特に、図４に示す構成は、コイル１０１がＰＣＢ１０３としてエッチングされた状態でフレックステール１０４を持ち上げ、ＰＣＢを凹部６６内に接着することによって、効率的に確立することができる。その後、膜２０の部分２２に接続されたピストン５０を有するレンズ１０をレンズ鏡筒６０に接着し、ピストン５０を凹部６６に受け入れる。これにより、ＡＦドライバのコイル１０１への極めて単純化された電気的接続を生成することができる。
【００７１】
以下において、図５〜図１３は、レンズの容器１１の異なる可能な設計を、特にレンズ整形器４０の設計に関して示す。さらに、図１４〜図１７は、容積Ｖ、Ｒの間で液体Ｌをポンピングするようにピストン５０を対向する移動方向Ｂ、Ｂ’に移動させるためのアクチュエータ１００（例えば、双方向マイクロポンプ）の設計に関する。
【００７２】
特に、図５（Ａ）および図５（Ｂ）に示す実施形態によれば、レンズ１０の容器１１の側壁構造１２（例えば、金属、ガラス、またはプラスチックから形成される）は、プレート部材１２０によって形成することができ、プレート部材１２０は、レンズ容積Ｖの少なくとも一部分を収容するための貫通開口部１２１と、リザーバ容積Ｒの少なくとも一部分を収容するための対向する凹部１２２とを備える。特に、プレート部材１２０は、カバー要素３０（例えば、ガラス）と膜２０との間に配置され、膜２０は、プレート部材１２０の背面１２ｂに接続され、カバー要素３０は、プレート部材１２０の前面１２ａに接続され、こうして、レンズ容積Ｖは、カバー要素３０および膜２０によって覆われるようになり、凹部１２２は、膜２２のみによって、特に、膜２０の一体パーツを形成する前記弾性壁部分２２によって覆われるようになる。しかしながら、部分２２は、別個のパーツであってもよい。
【００７３】
膜２０の前記曲率調整可能領域２１を画定するために、更なるプレート部材４０によって形成される（例えば、金属、ガラス、またはプラスチックから形成される）レンズ整形器４０が提供され、膜２０は、プレート部材１２０とレンズ整形器４０との間に配置される。特に、レンズ整形器４０は、前記領域２１を画定するために、膜２０と接触する円形縁部４２によって画定される貫通開口部４１を備える。リザーバ容積Ｒの壁部分２２を露出させるために、ピストン５０がリザーバ容積Ｒと相互作用することができるように、レンズ整形器４０は、更なる貫通開口部４３を備える。ここで、レンズ整形器４０は、レンズ鏡筒６０に対する距離ホルダとしても機能する。さらに、レンズ整形器４０は、凸状の状態であるときに領域２１に保護を提供する。
【００７４】
図６は、代替的な実施形態を示し、図５と比較して、レンズ整形器４０とプレート部材１２０の位置が入れ替わっており、その結果、レンズ整形器４０を介して薄膜２０がプレート部材１２０に接続されるようになっている。これは、レンズ整形器４０が薄膜２０とプレート部材１２０との間に配置されていることが知っていることを意味する。ここで、レンズ整形器４０の貫通開口部４１はレンズ容積Ｖに寄与する一方、更なる貫通開口部４３はリザーバ容積Ｒに寄与する。
【００７５】
図７は、図５に示す実施形態の変形例を示し、ここでは、レンズ整形器４０は、膜２０の領域２１を画定するための貫通開口部４１および円形縁部４２を備えるリング部材４０によって形成される（例えば、金属、ガラス、またはプラスチックから形成される）。プレート部材１２０の更なる貫通開口部１２２も、膜２０によって覆われる（すなわち、部分２２は、膜２０の一体パーツである）。
【００７６】
さらに、図８は、レンズ１０の実施形態を示し、ここでは、レンズ整形器４０（例えば、金属、ガラス、またはプラスチックから形成される）がプレート部材１２０自体によって形成され、レンズ整形器４０の円形縁部４２がプレート部材１２０の前記開口部１２１の円形縁部４２によって形成される。さらに、プレート部材１２０の凹部１２２は、貫通開口部として形成されている。ここで、両方の貫通開口部１２１、１２２は、カバー要素３０によって前面１２ａが覆われ、膜２０によって背面１２ｂが覆われている。
【００７７】
図９は、図８に示す実施形態の変形例を示し、ここで、カバー要素３０は、プレート部材１２０の貫通開口部１２１を覆う円形カバー要素３０である。凹部（すなわち、貫通開口部）１２２も閉じるために、更なる膜２５が設けられ、カバー要素３０とプレート部材１２０との間に配置される。こうして、弾性壁部分２５、２２によってリザーバ容積が前面１２ａおよび背面１２ｂで覆われる。
【００７８】
図１０に示すように、レンズ１０の容器１０は、また原則として、曲がった形状を備えることができ、こうして、装置１の設置スペースを最小化するレンズ鏡筒６０に関する配置が可能になる。
【００７９】
このために、容器１１は、レンズ容積Ｖを含む第一の部分１１ａと、リザーバ容積Ｒを含む第二の部分１１ｂとを含み、第一の部分１１ａは、容器１１の第二の部分１１ｂに対して鈍角Ｗで延在する（図１０（Ａ）参照）。これによって、図１０（Ｂ）に示す容器１１の位置が可能になり、ここで、容器の第一の部分１１ａは、レンズ鏡筒の面側６３に配置され、こうして、膜２０の前記領域２１およびレンズ容積Ｖがレンズ鏡筒の剛性レンズ６２に面するようになり、容器１１の第二の部分１１ｂは、レンズ鏡筒６０に対して横方向に配置され、レンズ１０の光軸Ａに垂直な方向（またはレンズ鏡筒６０の光軸Ａ’に垂直な方向）にレンズ鏡筒６０の側方外面６５に面する。
【００８０】
さらに、既に上述したように、全てのレンズ設計において、液体Ｌとカバー要素３０との間の屈折率整合を改善するために、カバー要素（例えば、ガラス）の下に更なる膜２５を配置することができる。
【００８１】
さらに、上述した全てのプレート部材１２０は、（例えば、プレート部材１２０の深さエッチングおよび／または射出成形の代わりに）複数の平坦な要素を互いの上に積み重ねることによって形成することもできる。
【００８２】
さらに、図１２に示すように、レンズ１０をレンズ鏡筒６０上に取り付ける（例えば、接着する）とき、空気ダクト（例えば、エアスリットまたはエアギャップ）を好ましくはレンズ領域に提供し、その結果、膜２０の撓みが生じ得るようになる（過圧または負圧を補償するための空気交換）。同じことは、ハウジング８０または凹部６６にも当てはまる。レンズ鏡筒の内部空間６１を、ハウジングの内部空間８５（または凹部６６）、またはハウジング８０（または凹部６６）用の空気ダクト８４、およびレンズ鏡筒の内部空間６１の通気を可能にする更なる空気ダクト６７を介して通気することができるように、ハウジング８０（または凹部６６）の空気ダクト８４および８５の形で１つの共通の空気交換を行うことができる。特に、全ての３つの空気ダクト８４、８６、６７が存在することもある。単にダクト８４、８６が使用される構成は、レンズ領域（すなわち、レンズ鏡筒６０の内部空間６１）に入り得る粒子がより少ないという利点を有する。
【００８３】
さらに、図１３は、レンズ１０の容器１１の設計のさらに別の実施形態を示し、これは、図８に示す実施形態の変形例に対応する。特に、図１３によれば、プレート部材１２０はプリント回路基板であり、レンズ整形器４０の前記円形縁部４２は、プリント回路基板１２０のエッチングされた金属層４４（例えば、銅によって形成されるか、または銅を含む金属）によって形成される。
【００８４】
このような頂部（例えば、銅）層のエッチングによって、高品質なレンズ整形器４０が得られる。プレート部材１２０の貫通孔１２１は、正確な直径でドリル加工することができるが、光学的品質は求められない。このため、非常に小さく、低コストで、薄いレンズ１０を構築することが可能になる。
【００８５】
あるいは、本明細書に記載される側壁構造１２、またはプレート部材１２０もしくは更なるプレート部材４０は、金属、プラスチック材料、ポリマーから形成することができ、またはこれらを含むことができる。特に、側壁構造１２、またはプレート部材１２０もしくは更なるプレート部材１２０は、射出成形され得る。一般に、カバー要素３０は、ガラス、プラスチック材料、ポリマーから形成することができ、またはこれらを含むことができる。
【００８６】
さらに、図１４〜図１７は、本発明で使用可能な異なる可能なアクチュエータの設計を示す。
【００８７】
例えば、図１４〜図１７に示すように、光学装置１は、（例えば、膜２０の）前記部分２２に接続されているレンズ１０のピストン５０を動かすように構成されたアクチュエータ１００を備える。特に、アクチュエータは、ピストン（例えばレンズの光軸Ａに沿って）を第一の移動方向Ｂに移動させるように構成され、その結果、ピストン５０が壁部分２２の外側２２ｂに押し付けられ、リザーバ容積Ｒからレンズ容積Ｖに液体Ｌをポンピングすることで、レンズ１０の膜２０の前記領域２１の曲率を変化（例えば、増加）させ、それとともに、レンズ１０の焦点距離を変化（例えば、低下）させる。さらに、アクチュエータ１００は、ピストン５０を反対の第二の移動方向Ｂ’に移動させるように構成され、その結果、ピストン５０が壁部分２２の外側２２ｂで引っ張り、液体Ｌをレンズ容積Ｖからリザーバ容積Ｒ内にポンピングすることで、レンズ１０の膜２０の前記領域２１の曲率を変化させ、それとともにレンズ１０の焦点距離を変化させる。
【００８８】
具体的には、図１４、図１５および図１７に示すように、ピストン５０は、磁石５１を備え、この磁石５１は、好ましくは、磁石５１とリザーバ容積Ｒの壁部分２２との間に配置されたスペーサ５２によって前記壁部分２２（例えば、膜２０の一部）に接続されている。
【００８９】
さらに、図１４、図１５および図１７に示すように、アクチュエータ１００は、磁石５１と相互作用して、ピストン５０を前記移動方向Ｂ、Ｂ’に移動させるように構成された導電性コイル１０１を備える。
【００９０】
特に、それぞれのコイル１０１は、巻回軸Ｃの周りに延びる巻線１０２ａを備える導電体１０２を備え、特に、巻回軸Ｃは、レンズの光軸Ａに平行に、および／または容器１１の壁部分２２に垂直に延びる。
【００９１】
非常に薄い設計を達成するために、コイル１０１は、図１３に示すように、プレート部材（ＰＣＢ）１２０に一体化することができ、ここで、磁石５１は、ピストン（５０）の第一の移動方向Ｂで、コイル１０１に面する。さらに、磁石５１は、巻回軸Ｃに平行に（または移動方向Ｂ、Ｂ’に平行に、またはレンズ１０の光軸Ａに平行に）延びる磁化Ｍを備えることができる。
【００９２】
さらに、図４と関連して説明したように、コイル１０１は、レンズ鏡筒６０の面側６３の凹部６６の底部６６ａに配置されたプリント回路基板１０３に一体化することもできる。あるいは、それは、前記凹部６６の底部６６ａに配置されてもよく、または前記底部６６ａに一体化されてもよい。
【００９３】
さらに、図１４〜図１７に示す実施形態では、レンズ１０は、ハウジング８０をさらに備え（ハウジングは、本明細書で説明するように、レンズ鏡筒の凹部６６によって形成することもできる）、ハウジング８０は、壁部分２２に面する底部８０ａと、ハウジング８０の底部８０ａをレンズ１０の容器１１に接続する側壁８０ｂとを備える。
【００９４】
特に、図１４に示す実施形態によれば、コイル１０１は、ハウジング８０の底部８０ａに一体化されるか、またはハウジング８０の底部８０ａに配置されて、その結果、ピストン５０の第二の移動方向Ｂ’で、磁石５１がコイル１０１に面するようになる。さらに、磁石５１は、コイル１０１の巻回軸Ｃに平行に延びる磁化Ｍを備える。コイル１０１内の光学装置１によって提供される電流Ｉの方向に応じて、ピストン５０は、（磁石とコイルとの間の双極子−双極子相互作用により）、リザーバ容積Ｒからレンズ容積Ｖ内に液体Ｌをポンピングする第一の移動方向Ｂに移動するか（例えば、領域２１に凸曲率を与えるために）、またはレンズ容積からリザーバ容積Ｒ内に液体Ｌをポンピングする第二の移動方向Ｂ’に移動するか（例えば、凸曲率を減少させて平坦な状態に戻すために）のいずれかである。
【００９５】
図１５は、代替的な実施形態を示し、ここで（図１４とは対照的に）、コイル１９１は、１０１がハウジング８０の側壁８０ｂに一体化されるか、あるいはハウジング８０の側壁８０ｂに配置される。ここで、磁石５１は、コイル１０１の巻線１０２ａによって囲まれた空間１０７（例えば、エアギャップ）内に少なくとも部分的にまたは完全に配置され、磁石５１は、巻回軸Ｃに平行に（または光軸Ａに平行に、または移動方向Ｂ、Ｂ’に平行に）延びる磁化Ｍを備えることができる。
【００９６】
図１７は、図１５に示す実施形態の変形例を示し、ここで、磁石５０は、径方向に着磁されたリング磁石であり、すなわち、それぞれの磁化Ｍは、コイル１０１の巻回軸Ｃに垂直に（または、光軸または移動方向Ｂ、Ｂ’に垂直に）延びている。
【００９７】
図１６は、磁石５１を必要としない代替アクチュエータの設計を示す。ここで、アクチュエータ１００は、ピストン５０を移動させるための形状記憶合金から形成された部材２００を備え、この部材２００は、ピストン５０をピストン５０の前記ハウジング８０（またはレンズ鏡筒６０）に接続する。特に、前記部材２００は、部材２００が形状記憶合金部材（例えば、ワイヤ）の長さを縮めることにより、ピストン５０を壁部分２２で引っ張らせる状態を備える。両方向形状記憶合金構成では、ピストン５０の押し引きが可能であり、すなわち、前記部材２００の代わりに、アクチュエータは、ピストン５０を壁部分２２に押し付け、またはピストン５０を壁部分２２で引っ張るように構成された両方向形状記憶合金構造を含むことができる。
【００９８】
図１４〜図１７にさらに示すように、容器１１は、ピストン５０の第一の移動方向Ｂで、ピストン５０用のストッパ８１を形成することもできる。さらに、ハウジング８０は、ピストン５０の反対の第二の移動方向Ｂ’で、ピストン５０用のストッパ８２を形成することもできる。さらに、ハウジングは、ピストン５０の前記移動方向Ｂ、Ｂ’に垂直な方向で、ピストン５０用のストッパ８３を提供してもよい。これらのストッパ８１、８２、８３により、膜２０／壁部分２２を機械的損傷から保護することができる。
【００９９】
携帯電話のレンズ鏡筒６０およびその上に配置されたレンズ１０の概略平面図（Ａ）、（Ｂ）および（Ｃ）を示す図１８に示すように、本発明によるレンズ１０の容器１１と、特にハウジング８０の設計は、携帯電話の表示領域を最適化し、最大化するレンズ鏡筒６０に対するレンズ１０の配置を可能にする。
【０１００】
この点に関し、図１８（Ａ）は、リザーバ容積Ｒがレンズ鏡筒のコーナー領域６０ｂに配置された構成を示し、図１８（Ｂ）は、リザーバ容積Ｒがレンズ鏡筒６０のエッジ６０ｃに沿って中心に配置された構成を示す。さらに、図１８（Ｃ）は、リザーバ容積Ｒがレンズ鏡筒６０のエッジ６０ｃ上に配置されているが、レンズ鏡筒６０からエッジ６０ｃを過ぎて突出している構成を示している。
【０１０１】
さらに、一般に、レンズ１０（特に、レンズのアクチュエータ１００のコイル１０１に）は、ピンヘッダ、フレックスケーブル（例えば、専用コネクタなし）またはハーフビアを使用することによって、特に、レンズ１０をカメラモジュールに直接接続することによって、電気的に接触させることができる。図１９に示す好ましい変形によれば、電気的な接続は、インサート成形された金属片１０６を介して、下方に引き下げることができる。
【０１０２】
換言すれば、レンズ鏡筒６０は、レンズ鏡筒６０内に（例えば、インサート成形によって）成形された電気コネクタ１０６を備えることができ、電気コネクタ１０６は、コイル１０１にハンダ付けされる（またはその他の方法で電気的に接続される）２つの第一の端部１０６ａとともにレンズ鏡筒６０から突出し、特に電気コネクタ１０６は、プリント回路基板または可撓性コネクタ１０５上に配置された電気接点に、例えば、ハンダ付けされる２つの第二の端部１０６ｂとともにレンズ鏡筒６０から反対側に突出する。
【０１０３】
最後に、図２０は、リザーバ容積Ｒ（およびピストン５０）の形状が任意であり、互いに異なる可能性があることを示す。特に、図２０は、リザーバ容積およびレンズ容積の異なる可能な形状を示し、特に、レンズ容積Ｖは、円形断面（Ａ）、（Ｂ）を備えることができ、リザーバ容積Ｒは、円形形状から逸脱することができ、例えば、正方形（Ａ）または楕円形（Ｂ）の断面を備えることができる。
【０１０４】
さらに、電気コイルに基づいて、本明細書に記載される全てのアクチュエータは、巻きコイルまたはＰＣＢコイル（例えば、ＰＣＢに一体化されたコイル）とすることができるコイルを含むことができる。特に、ＰＣＢコイルの場合、ドライバをコイル１０１のＰＣＢ上に直接ハンダ付けし、例えばＩ２Ｃ、ＳＰＩなどのデジタル信号を用いて制御することができる。
【図１】
2021521482.tif 000003
【図２】
2021521482.tif 000004
【図３】
2021521482.tif 000005
【図４】
2021521482.tif 000006
【図５（Ａ）】
2021521482.tif 000007
【図５（Ｂ）】
2021521482.tif 000008
【図６（Ａ）】
2021521482.tif 000009
【図６（Ｂ）】
2021521482.tif 000010
【図７（Ａ）】
2021521482.tif 000011
【図７（Ｂ）】
2021521482.tif 000012
【図８（Ａ）】
2021521482.tif 000013
【図８（Ｂ）】
2021521482.tif 000014
【図９（Ａ）】
2021521482.tif 000015
【図９（Ｂ）】
2021521482.tif 000016
【図１０（Ａ）】
2021521482.tif 000017
【図１０（Ｂ）】
2021521482.tif 000018
【図１１】
2021521482.tif 000019
【図１２】
2021521482.tif 000020
【図１３（Ａ）】
2021521482.tif 000021
【図１３（Ｂ）】
2021521482.tif 000022
【図１４】
2021521482.tif 000023
【図１５】
2021521482.tif 000024
【図１６】
2021521482.tif 000025
【図１７】
2021521482.tif 000026
【図１８（Ａ）】
2021521482.tif 000027
【図１８（Ｂ）】
2021521482.tif 000028
【図１８（Ｃ）】
2021521482.tif 000029
【図１９】
2021521482.tif 000030
【図２０】
2021521482.tif 000031
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
調整可能な焦点距離を有するレンズ（１０）を備える光学装置（１）であって、前記レンズ（１０）は、レンズ容積（Ｖ）と、前記レンズ容積（Ｖ）に接続されるリザーバ容積（Ｒ）とを囲む容器（１１）を備え、前記２つの容積（Ｒ、Ｖ）は、透明な液体（Ｌ）で満たされ、前記容器（１１）は、前面（１２ａ）および背面（１２ｂ）を有する平坦な側壁構造（１２）と、弾性的に変形可能で透明な膜（２０）と、透明なカバー要素（３０）と弾性的に変形可能な壁部分（２２）とをさらに備え、前記膜（２０）は、前記側壁構造（１２）の前記背面（１２ｂ）に接続され、前記カバー要素（３０）は、前記レンズ容積（Ｖ）が前記カバー要素（３０）と前記膜（２０）との間に配置されるように、前記側壁構造（１２）の前記前面（１２ａ）に接続され、前記壁部分（２２）は、前記リザーバ容積（Ｒ）に隣接して配置され、前記壁部分（２２）は、内側（２２ａ）と、前記内側（２２ａ）から離れて面する外側（２２ｂ）を備え、前記内側（２２ａ）は、前記リザーバ容積（Ｒ）内に存在する前記液体（Ｌ）に接触し、前記レンズ（１０）は、前記膜（２０）に接続され、前記膜（２０）の領域（２１）を画定するレンズ整形器（４０）をさらに備え、この領域（２１）は、調整可能な曲率を有し、前記レンズ容積（Ｖ）内の液体（Ｌ）に接触し、前記レンズ（１０）は、前記壁部分（２２）の前記外側（２２ｂ）に接続され、前記外側（２２ｂ）に作用して、前記リザーバ容積（Ｒ）から前記レンズ容積（Ｖ）に、または前記レンズ容積（Ｖ）から前記リザーバ容積（Ｒ）に、前記液体（Ｌ）をポンピングするように構成され、その結果、前記膜（２０）の前記領域（２１）の前記曲率を変化させ、それとともに前記レンズ（１０）の前記焦点距離を変化させる、光学装置（１）。
【請求項２】
前記側壁構造（１２）は、前記レンズ容積（Ｖ）の少なくとも一部分を収容するための貫通開口部（１２１）と、前記リザーバ容積（Ｒ）の少なくとも一部分を収容するための隣接凹部（１２２）とを備えるプレート部材（１２０）を備えることを特徴とする、請求項１に記載の光学装置。
【請求項３】
前記レンズ整形器（４０）は、前記膜（２２）の前記領域（２１）を画定するために、前記膜（２０）と接触する円形縁部（４２）によって画定される貫通開口部（４１）を備えることを特徴とする、請求項１または２に記載の光学装置。
【請求項４】
前記膜（２０）は、前記プレート部材（１２０）と前記レンズ整形器（４０）との間に配置されていることを特徴とする、請求項２および３に記載の光学装置。
【請求項５】
前記レンズ整形器（４０）は、更なるプレート部材によって形成され、前記レンズ整形器（４０）は、前記壁部分（２２）を露出させるための更なる貫通開口部（４３）を備えること、または、前記レンズ整形器（４０）はリング部材によって形成されることを特徴とする、請求項４に記載の光学装置。
【請求項６】
前記膜（２０）は、前記レンズ整形器（４０）を介して前記プレート部材（１２０）に接続され、その結果、前記レンズ整形器（４０）は、前記膜（２０）と前記プレート部材（１２０）との間に配置されることを特徴とする、請求項３に記載の光学装置。
【請求項７】
前記レンズ整形器（４０）は、更なるプレート部材により形成され、前記レンズ整形器（４０）の前記貫通開口部（４１）は、前記レンズ容積（Ｖ）の一部分を収容し、前記レンズ整形器（４０）は、前記リザーバ容積（Ｒ）の一部分を収容する更なる貫通開口部（４３）を備えることを特徴とする、請求項６に記載の光学装置。
【請求項８】
前記レンズ整形器（４０）が前記プレート部材（１２０）によって形成され、前記レンズ整形器（４０）の前記円形縁部（４２）が前記プレート部材（１２０）の前記貫通開口部（１２１）の円形縁部（４２）によって形成されることを特徴とする、請求項３に記載の光学装置。
【請求項９】
前記プレート部材（１２０）がプリント回路基板であり、前記レンズ整形器（４０）の前記円形縁部（４２）が、前記プリント回路基板（１２０）のエッチングされた金属層（４４）によって形成されることを特徴とする、請求項８に記載の光学装置。
【請求項１０】
前記カバー要素（３０）が前記プレート部材（１２０）に接続され、前記カバー要素（３０）が、前記プレート部材（１２０）の前記貫通開口部（１２１）および／または前記プレート部材（１２０）の凹部（１２２）を覆うようになることを特徴とする、請求項２〜９のいずれか一項に記載の光学装置。
【請求項１１】
前記プレート部材（１２０）と前記カバー要素（３０）との間に、更なる膜（２５）が配置されることを特徴とする、請求項２〜１０のいずれか一項に記載の光学装置。
【請求項１２】
前記リザーバ容積（Ｒ）は、前記レンズ（１０）の光軸（Ａ）に垂直な方向で、前記レンズ容積（Ｖ）に対向して配置されることを特徴とする、請求項１〜１１のいずれか一項に記載の光学装置。
【請求項１３】
前記壁部分（２２）は、前記膜（２０）の一部分によって形成されることを特徴とする、請求項１〜１２のいずれか一項に記載の光学装置。
【請求項１４】
前記容器（１１）は、前記レンズ容積（Ｖ）を囲む第一の部分（１１ａ）と、前記リザーバ容積（Ｒ）を囲む第二の部分（１１ｂ）とを備え、前記第一の部分（１１ａ）は、前記第二の部分（１１ｂ）に対して鈍角（Ｗ）に延びることを特徴とする、請求項１〜１１のいずれか一項に記載の光学装置。
【請求項１５】
前記レンズ（１０）は、前記レンズ（１０）の前記容器（１１）に接続されたハウジング（８０）をさらに備え、その結果、前記ハウジング（８０）が前記容器（１１）とともにピストン（５０）を囲むようになることを特徴とする、請求項１〜１４のいずれか一項に記載の光学装置。
【請求項１６】
前記光学装置（１）は、折り畳みプリズム（３）を備え、前記容器（１１）は、前記折り畳みプリズム（３）の表面（３ａ）に接続および／または配置されることを特徴とする、請求項１〜１４のいずれか一項に記載の光学装置。
【請求項１７】
前記光学装置（１）は、アクチュエータ（１００）を備え、前記アクチュエータ（１００）は、ピストン（５０）を第一の移動方向（Ｂ）に移動させるように構成され、その結果、前記ピストン（５０）を前記壁部分（２２）の前記外側（２２ｂ）に押し付けて、前記リザーバ容積（Ｒ）から前記レンズ容積（Ｖ）内に液体（Ｌ）をポンピングすることで、前記レンズ（１０）の前記膜（２０）の前記領域（２１）の前記曲率を変化させ、それとともに前記レンズ（１０）の前記焦点距離を変化させること、および／または、前記アクチュエータ（１００）は、前記ピストン（５０）を第二の移動方向（Ｂ’）に移動させるように構成され、その結果、前記ピストン（５０）を前記壁部分（２２）の前記外側（２２ｂ）に引っ張って、前記レンズ容積（Ｖ）から前記リザーバ容積（Ｒ）内に液体（Ｌ）をポンピングすることで、前記レンズ（１０）の前記膜（２０）の前記領域（２１）の前記曲率を変化させ、それとともに前記レンズ（１０）の前記焦点距離を変化させることを特徴とする、請求項１〜１６のいずれか一項に記載の光学装置。
【請求項１８】
前記ピストン（５０）は、磁石（５１）を備えることを特徴とする、請求項１７に記載の光学装置。
【請求項１９】
前記アクチュエータ（１００）が、前記磁石（５１）と相互作用して、前記ピストン（５０）を移動させるように構成された導電性コイル（１０１）を備えることを特徴とする、請求項１８に記載の光学装置。
【請求項２０】
前記コイル（１０１）が前記プレート部材（１２０）に一体化され、特に前記磁石（５１）が前記ピストン（５０）の第一の移動方向（Ｂ）で前記コイル（１０１）に面することと、特に前記磁石（５１）が前記巻回軸（Ｃ）に平行に延びる磁化（Ｍ）を備えることを特徴とする、請求項９、および請求項１９に記載の光学装置。
【国際調査報告】
2021521482.tif 000032
2021521482.tif 000033
2021521482.tif 000034
2021521482.tif 000035
2021521482.tif 000036